(57)【要約】【課題】塗布体に含まれた塗布物質の掻き取りを正確に行うことができるとともに、塗布体の形状を整えることができ、さらに、容器を塗布物質で汚してしまうことがない塗布具付き容器を提供すること。【解決手段】塗布具付き容器の中栓２に、塗布具３の扱き部２１と、それより上方で、上端より下方位置に、塗布具３の塗布体３２に含まれた塗布物質の掻き取り部２２とを、それぞれ形成する。【選択図】図２
2019177172.tif 000002
【特許請求の範囲】
【請求項１】
開口部を形成した容器本体と、該容器本体の開口部に装着される中栓と、塗布具を備えたキャップとを有する塗布具付き容器において、前記中栓に、塗布具の扱き部と、それより上方で、上端より下方位置に、塗布具に含まれた塗布物質の掻き取り部とを、それぞれ形成してなることを特徴とする塗布具付き容器。
【請求項２】
前記掻き取り部が、中栓の内周面から水平に延出した延出片からなり、かつ、延出片が、少なくとも１つの入り隅部を持つように形成されてなることを特徴とする請求項１に記載の塗布具付き容器。
【発明の詳細な説明】
【技術分野】
【０００１】
本発明は、塗布具付き容器に関し、特に、マスカラ、アイライナー、アイシャドー、リップグロス等の液状化粧料を塗布するための塗布具付き容器に関するものである。
【背景技術】
【０００２】
従来、液状化粧料を塗布するための塗布具付き容器として、図７に示すような、開口部を形成した容器本体１と、容器本体１の開口部に装着される中栓２と、軸体３１の一端にブラシ、刷毛等の塗布体３２を形成した塗布具３を備えたキャップ４とを有するものが提案され、汎用されている（例えば、特許文献１参照。）。
【０００３】
そして、この塗布具付き容器において、容器本体１の開口部に装着される中栓２は、合成ゴム等の弾性材料からなり、中心に扱き孔を形成することによって、塗布具３の扱き部２１を形成するようにしてされている。
【先行技術文献】
【特許文献】
【０００４】
【特許文献１】実用新案登録第２５９８７７５号公報
【発明の概要】
【発明が解決しようとする課題】
【０００５】
ところで、容器本体１の開口部に装着される中栓２に形成される扱き孔から構成される塗布具の扱き部２１は、塗布具３のブラシ、刷毛等の塗布体３２に含まれた塗布物質の掻き取りを正確に行うことができず、また、塗布体３２の形状を整えることができなかった。
そして、中栓２の上端部で、塗布体３２に含まれた塗布物質の掻き取りを行ったり、塗布体の形状を整えたりするようにしているが、中栓２の上端部、延いては、容器本体１を含む容器全体を塗布物質で汚してしまうという問題があった。
【０００６】
本発明は、上記従来の塗布具付き容器の有する問題点に鑑み、塗布体に含まれた塗布物質の掻き取りを正確に行うことができるとともに、塗布体の形状を整えることができ、さらに、容器を塗布物質で汚してしまうことがない塗布具付き容器を提供することを目的とする。
【課題を解決するための手段】
【０００７】
上記目的を達成するため、本発明の塗布具付き容器は、開口部を形成した容器本体と、該容器本体の開口部に装着される中栓と、塗布具を備えたキャップとを有する塗布具付き容器において、前記中栓に、塗布具の扱き部と、それより上方で、上端より下方位置に、塗布具に含まれた塗布物質の掻き取り部とを、それぞれ形成してなることを特徴とする。
【０００８】
この場合において、前記掻き取り部が、中栓の内周面から水平に延出した延出片からなり、かつ、延出片が、少なくとも１つの入り隅部を持つように形成されてなるようにすることができる。
【発明の効果】
【０００９】
本発明の塗布具付き容器によれば、開口部を形成した容器本体と、該容器本体の開口部に装着される中栓と、塗布具を備えたキャップとを有する塗布具付き容器において、前記中栓に、塗布具の扱き部と、それより上方で、上端より下方位置に、塗布具に含まれた塗布物質の掻き取り部とを、それぞれ形成してなるようにすることにより、塗布体に含まれた塗布物質の掻き取りを正確に行うことができるとともに、塗布体の形状を整えることができ、さらに、容器を塗布物質で汚してしまうことがない塗布具付き容器を提供することができる。
【００１０】
また、前記掻き取り部が、中栓の内周面から水平に延出した延出片からなり、かつ、延出片が、少なくとも１つの入り隅部を持つように形成されてなるようにすることにより、塗布体に含まれた塗布物質の掻き取りをより正確に行うことができるとともに、塗布体の形状を整えることを容易に行うことができる。
【図面の簡単な説明】
【００１１】
【図１】本発明の塗布具付き容器の中栓の第１実施例を示し、（ａ）は平面図、（ｂ）は正面図、（ｃ）は底面図である。
【図２】同正面断面図である。
【図３】本発明の塗布具付き容器の中栓の第２実施例を示し、（ａ）は平面図、（ｂ）は正面図、（ｃ）は底面図である。
【図４】同正面断面図である。
【図５】本発明の塗布具付き容器の中栓の第３実施例を示し、（ａ）は平面図、（ｂ）は正面図、（ｃ）は底面図である。
【図６】同正面断面図である。
【図７】従来の塗布具付き容器を示す正面断面図である。
【発明を実施するための形態】
【００１２】
以下、本発明の塗布具付き容器の実施の形態を、図面に基づいて説明する。
【００１３】
図１〜図２に、本発明の塗布具付き容器の中栓の第１実施例を示す。
この塗布具付き容器の中栓２は、図７に示す従来の塗布具付き容器と同様に、開口部を形成した容器本体１と、容器本体１の開口部、に装着される中栓２と、軸体３１の一端にブラシ、刷毛等の塗布体３２を形成した塗布具３を備えたキャップ４とを有する塗布具付き容器に適用されるもので、中栓２に、塗布具３の扱き部２１と、それより上方で、上端より下方位置に、塗布具３の塗布体３２に含まれた塗布物質の掻き取り部２２とを、それぞれ形成してなるようにしたものである。
【００１４】
中栓２は、好ましくは、合成ゴム等の弾性材料からなる。
そして、中栓２の底部の中心に扱き孔を形成することによって、塗布具３の扱き部２１を形成するとともに、それより上方で、上端より下方位置に、中栓２の内周面から水平に延出した延出片からなる、塗布具３の塗布体３２に含まれた塗布物質の掻き取り部２２を形成するようにしている。
【００１５】
ここで、塗布具３の扱き部２１及び塗布物質の掻き取り部２２は、本実施例においては、端縁部を、エッジの立った矩形断面形状に形成しているが、これに限定されず、例えば、塗布具３の扱き部２１を、下方に延出した円錐筒状に形成したり、塗布物質の掻き取り部２２を、端縁部が薄肉状になるように形成したりすることもできる。
【００１６】
さらに、塗布物質の掻き取り部２２は、本実施例においては、延出片の端縁部を、平面視して、直線状に形成したが、延出片が、少なくとも１つの入り隅部２２ａを持つように形成する、より具体的には、図３〜図４に示す、本発明の塗布具付き容器の中栓の第２実施例のように、１つの入り隅部２２ａを持つように形成したり、図５〜図６に示す、本発明の塗布具付き容器の中栓の第３実施例のように、４つの入り隅部２２ａを持つように形成することができる。
ここで、入り隅部２２ａの角度は、第２〜第３実施例のように、９０°のほか、３０°〜１５０°程度の範囲で、任意に設定することができる。
これにより、塗布体３２に含まれた塗布物質の掻き取りをより正確に行うことができるとともに、塗布体３２の形状を整えることを容易に行うことができる。
【００１７】
また、中栓２の上端に、中栓２の外周面から水平に延出した延出片からなる、容器本体１の開口縁に掛け止めするためのフランジ２３を形成するとともに、下部に、中栓２の外周面から突出した突出部からなる、容器本体１に形成した嵌合溝に嵌着するための嵌合突出部２４を形成するようにしている。
【００１８】
この中栓２を容器本体１の開口部に装着することによって、扱き部２１によって、図７に示す従来の塗布具付き容器と同様、塗布具３の扱きを行うことができ、さらに、塗布物質の掻き取り部２２によって、塗布体３２に含まれた塗布物質の掻き取りを正確に行うことができるとともに、塗布体３２の形状を整えることができ、さらに、中栓２の上端より下方位置に塗布物質の掻き取り部２２を形成するようにすることによって、掻き取り部２２で掻き取られた塗布物質が、中栓２の内周面を伝って容器本体１内に戻り、中栓２の上端部、延いては、容器本体１を含む容器全体を塗布物質で汚してしまうことがないようにすることができる。
【００１９】
以上、本発明の塗布具付き容器について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明の塗布具付き容器は、塗布体に含まれた塗布物質の掻き取りを正確に行うことができるとともに、塗布体の形状を整えることができ、さらに、容器を塗布物質で汚してしまうことがない特性を有していることから、マスカラ、アイライナー、アイシャドー、リップグロス等の液状化粧料を塗布するための塗布具付き容器の用途に好適に用いることができる。
【符号の説明】
【００２１】
１  容器本体
２  中栓
２１  扱き部
２２  掻き取り部
２３  フランジ
２４  嵌合突出部
３  塗布具
３１  軸体
３２  塗布体
４  キャップ
【図１】
2019177172.tif 000003
【図２】
2019177172.tif 000004
【図３】
2019177172.tif 000005
【図４】
2019177172.tif 000006
【図５】
2019177172.tif 000007
【図６】
2019177172.tif 000008
【図７】
2019177172.tif 000009